(57)【要約】【課題】表示画面の乱れを抑えて良好な表示を行う描画制御装置を提供する。【解決手段】モノメディアとモノメディアの動画のレイアウトを含むコンテンツを受信するコンテンツ受信手段と、コンテンツを解析するコンテンツ解析手段と、静止画の表示位置及び動画のスケーリングと表示位置を指示するレイアウト手段と、レイアウト手段の指示を保持する描画指示保持手段と、映像をデコードし指定したスケーリングと位置に表示するＭＰＥＧデコード手段と、静止画を指定した位置に表示する静止画描画手段と、ディスプレイの解像度を切り替える解像度切り替え手段と、映像と静止画の合成及びディスプレイのブラックアウト又は解除を行う動画静止画合成手段と、合成した映像を出力するディスプレイと、ディスプレイの解像度を取得する解像度取得手段と、描画指示保持部の描画指示とディスプレイの解像度により描画指示を行う描画制御手段を備える。【選択図】  図１
2005031116.tif 000002
【特許請求の範囲】
【請求項１】
静止画等のモノメディアと、モノメディアの動画のレイアウトデータを含むコンテンツデータを受信するコンテンツ受信手段及び、コンテンツデータを解析するコンテンツ解析手段と、静止画の表示位置及び動画のスケーリングと表示位置の指示を行うレイアウト手段と、レイアウト手段からの指示を保持する描画指示保持手段と、ＭＥＰＧビデオをデコードし、指定されたスケーリングと位置に表示するＭＰＥＧデコード手段と、静止画を指定された位置に表示する静止画描画手段と、ディスプレイの解像度を切り替える解像度切り替え手段と、ＭＰＥＧビデオと静止画を合成及び、ディスプレイをブラックアウト又はブラックアウト解除を行う動画静止画合成手段と、合成された動画静止画を出力するディスプレイと、ディスプレイの解像度を取得する解像度取得手段と、描画指示保持部に格納された描画指示と、ディスプレイの解像度に応じて描画指示を行う描画制御手段を備えた描画制御装置。
【発明の詳細な説明】
【０００１】
【発明の属する技術分野】
本発明は、静止画、動画の表示及び解像度切り替えする際に発生するディスプレイの表示画面の乱れを抑制する描画制御装置に関するものである。
【０００２】
【従来の技術】
図５に従来の描画制御装置を示す（例えば、特許文献１参照）。描画制御装置は、放送もしくは通信より送られる静止画（ＰＮＧ、ＧＩＦ、ＭＮＧ、アニメーションＧＩＦ）等のモノメディアと、モノメディアの動画のレイアウトデータを含むコンテンツの取得を行うコンテンツ受信部１０１と、コンテンツ受信部１０１で取得されたコンテンツの解析を行うコンテンツ解析部１０２と、コンテンツ解析部の解析結果を元に、動画の選択、スケーリング、位置の計算及び指示、静止画の表示位置の計算及び指示、解像度の計算及び指示を行うレイアウト部１０３と、指定されたスケーリング、表示位置で動画をデコードするＭＰＥＧデコード部１０７と、指定された位置に静止画を描画する静止画描画部１０８と、ディスプレイの解像度を切り替える解像度切り替え部１０９と、動画と静止画の合成及び、ディスプレイのブラックアウト、ブラックアウト解除を行う動画静止画合成部１１０及びユーザへの提示を行うディスプレイ１１１から構成される。
【０００３】
コンテンツはコンテンツ受信部１０１で取得され、コンテンツ解析部１０２によりコンテンツが解析され、解析結果データを用いて、レイアウト部１０３が静止画の位置、動画のスケーリングと位置、解像度を決定する。レイアウト部１０３は、ＭＰＥＧデコード部１０７、解像度切り替え部１０９、静止画描画部１０８及び静止画合成部１１０へ描画指示を行う。
【０００４】
レイアウト部１０３の動画表示指定、静止画表示指定、解像度切り替え指定を行う順番は、コンテンツ記述に依存しているので、コンテンツによっては、レイアウト部１０３は、解像度切り替え、動画表示、静止画表示の順番で描画指示することがある。
【０００５】
【特許文献１】
特開平０５−３５４３５号公報
【０００６】
【発明が解決しようとする課題】
上記の従来例において、解像度切り替え、動画表示、静止画表示の順番で指定を行うと、ディスプレイの表示が乱れることがある。例えば、図６に示すように解像度が１９２０×１０８０で動画と静止画を表示していたとする。ここで、解像度７２０×４８０で動画と静止画を表示するコンテンツに切り替える場合、解像度切り替え、動画表示、静止画表示の順番で指定を行った場合、新しい静止画動画を表示する前まで、切り替える前のコンテンツが拡大され表示品位が損なわれる。
【０００７】
また、拡大されて表示するのを防ぐために、コンテンツの切り替えの間ディスプレイをブラックアウトする手法も考えられるが、コンテンツ切り替え前とコンテンツ切り替え後の解像度が同じだった場合でもブラックアウトが発生し表示品位が損なわれる。
【０００８】
【課題を解決するための手段】
本発明の請求項１に係る描画制御装置は、静止画等のモノメディアと、モノメディアの動画のレイアウトデータを含むコンテンツデータを受信するコンテンツ受信手段及び、コンテンツデータを解析するコンテンツ解析手段と、静止画の表示位置及び動画のスケーリングと表示位置の指示を行うレイアウト手段と、レイアウト部からの指示を保持する描画指示保持手段と、ＭＥＰＧビデオをデコードし、指定されたスケーリングと位置に表示するＭＰＥＧデコード手段と、静止画を指定された位置に表示する静止画描画手段と、ディスプレイの解像度を切り替える解像度切り替え手段と、ＭＰＥＧビデオと静止画を合成及び、ディスプレイをブラックアウト又はブラックアウト解除を行う動画静止画合成手段と、合成された動画静止画を出力するディスプレイと、ディスプレイの解像度を取得する解像度取得手段と、描画指示保持部に格納された描画指示と、ディスプレイの解像度に応じて描画指示を行う描画制御手段を備えたことを特徴とする。
【０００９】
【発明の実施の形態】
図１は、本実施形態の描画制御装置のブロック図である。描画制御装置は、図５に示す従来の描画制御装置の構成に加え、動画表示、静止画表示、解像度切り替え指示の順番を制御する描画制御部１０５と、レイアウト部１０３からの動画表示、静止画表示、解像度切り替え指示を保持する描画指示保持部１０４と、ディスプレイ１１１の解像度を取得する解像度取得部１０６から構成される。
【００１０】
図２を用いて本実施の形態の描画制御装置の動作を説明する。
【００１１】
ステップＳ１０１でレイアウト部１０３からの指示が動画表示、静止画表示、解像度切り替え等の描画指示だった場合は、ステップＳ１０６へ移り、そうでなければステップＳ１０２に移る。ステップＳ１０６でレイアウト部１０３からの指示を保存する。ステップＳ１０２でレイアウト部１０３からのレイアウト完了通知だった場合は、ステップＳ１０３へ移る。
【００１２】
ステップＳ１０３で描画指示保持部１０４に保存されている描画指示を検索し、解像度切り替え指示があった場合は、ステップＳ１０９に移り、そうでなければステップＳ１０４へ移る。ステップＳ１０４で描画指示保持部１０４に保存されている描画指示を検索し静止画表示指示があった場合は、ステップＳ１０７に移り、そうでない場合は、ステップＳ１０５へ移る。
【００１３】
ステップＳ１０７で静止画描画部１０８により静止画の表示を行い、描画指示保持部１０４から静止画描画指示を削除する。ステップＳ１０５で描画指示保持部１０４に保存されている描画指示を検索し、動画表示指示があった場合は、ステップＳ１０８へ移り、そうでない場合は、終了する。
【００１４】
ステップＳ１０８でＭＰＥＧデコード部１０７により動画の表示を行い、描画指示保持部１０４から動画表示指示を削除する。ステップＳ１０９では、解像度取得部１０６よりディスプレイ１１１の解像度を取得し、描画指示保持部１０４に保存されている解像度切り替え指示の解像度とディスプレイ１１１の解像度が異なる場合は、ステップＳ１１０へ、同じ場合はステップＳ１１５に移る。
【００１５】
ステップＳ１１０では動画静止画合成部１１０により動画と静止画のミュートを行うことで、ディスプレイ１１１をブラックアウトさせる。ステップＳ１１２では、描画指示保持部１０４に保存されている描画指示を検索し静止画表示指示があった場合は、静止画描画部１０８により静止画の表示を行い、描画指示保持部１０４から静止画描画指示を削除する。
【００１６】
ステップＳ１１３では、描画指示保持部１０４に保存されている描画指示を検索し動画表示指示があった場合は、ＭＰＥＧデコード部１０７により動画表示を行い、描画指示保持部１０４から動画表示指示を削除する。ステップＳ１１４では動画静止画合成部１１０により動画と静止画のミュートの解除を行うことで、ディスプレイ１１１をブラックアウトを解除し、描画指示保持部１０４の解像度切り替え指示を削除する。
【００１７】
ステップＳ１１５では、描画指示保持部１０４に保存されている描画指示を検索し静止画表示指示があった場合は、静止画描画部１０８により静止画の表示を行い、描画指示保持部１０４から静止画描画指示を削除する。ステップＳ１１６では、描画指示保持部１０４に保存されている描画指示を検索し動画表示指示があった場合は、ＭＰＥＧデコード部１０７により動画の表示を行い、描画指示保持部１０４から動画表示指示を削除する。
【００１８】
図３に解像度が１９２０×１０８０で提示されていた状態で、レイアウト部１０３が７２０×４８０への解像度切り替え指示、動画表示指示、静止画表示指示、レイアウト完了通知の順番に指示があった場合のディスプレイ１１１の表示を示す。
【００１９】
描画制御部１０５は、７２０×４８０への解像度切り替え指示、動画表示指示、静止画表示指示を静止指示保持部１０４に指示を保存する。次にレイアウト完了通知を受け静止指示保持部１０４に解像度切り替え指示を検知し、ディスプレイ１１１の解像度を取得し解像度が異なることを検知する。従って、描画制御部１０５は、ディスプレイ１１１を動画静止画合成部１１０によりブラックアウトさせた後、静止画描画、動画表示を行い、ディスプレイ１１１を動画静止画合成部１１０によりブラックアウトを解除させる。
【００２０】
図４に示されるように、解像度が１９２０×１０８０で提示されていた場合、レイアウト部１０３が１９２０×１０８０への解像度切り替え指示、動画表示指示、静止画表示指示、レイアウト完了通知の順番に指示があった場合のディスプレイ１１１の表示を示す。描画制御部１０５は、１９２００×１０８０への解像度切り替え指示、動画表示指示、静止画表示指示を静止指示保持部１０４に指示を保存する。次にレイアウト完了通知を受け描画指示保持部１０４に解像度切り替え指示を検知し、ディスプレイ１１１の解像度を取得し解像度が同じであることを検知する。従って、静止画描画、動画表示のみを行う。
【００２１】
【発明の効果】
以上説明したように、本発明により、解像度切り替え、静止画表示、動画表示を行う際の解像度切り替え時に発生する画像の乱れを抑えることができる。
【図面の簡単な説明】
【図１】本発明の実施の形態における描画制御装置の構成図
【図２】同実施の形態における描画制御装置の動作を示すフローチャート
【図３】同実施の形態における描画制御装置の表示例を示す図
【図４】同実施の形態における描画制御装置の表示例を示す図
【図５】従来の描画制御装置の構成図
【図６】従来の描画制御装置の表示例を示す図
【符号の説明】
１０１  コンテンツ受信部
１０２  コンテンツ解析部
１０３  レイアウト部
１０４  描画指示保持部
１０５  描画制御部
１０６  解像度取得部
１０７  ＭＰＥＧデコード部
１０８  静止画描画部
１０９  解像度切り替え部
１１０  動画静止画合成部
１１１  ディスプレイ
【図１】
2005031116.tif 000003
【図２】
2005031116.tif 000004
【図３】
2005031116.tif 000005
【図４】
2005031116.tif 000006
【図５】
2005031116.tif 000007
【図６】
2005031116.tif 000008